(57)【要約】      （修正有）【課題】ユーザが再生する区間を指定せずに、動画コンテンツの再生時間を短縮して視聴することができる動画コンテンツ配信システムを提供する。【解決手段】動画コンテンツ配信システム１は、通信端末２１と、通信端末２１とネットワーク３０を介して接続されたサーバ１１と、を有する。通信端末２１は、動画コンテンツを再生する再生処理部と、再生処理部が動画コンテンツを再生した区間である再生区間を記録する再生区間記憶部とを有する。サーバは、通信端末の再生区間記録部から受け取った各再生区間の再生頻度を集計する集計部と、集計部が集計した集計結果を記録する集計結果記憶部とを有する。通信端末の再生処理部は、動画コンテンツのうち、ユーザが指示した再生時間内で最も再生頻度が高い区間を選択し、再生する。【選択図】図１
2012054823.tif 000002
【特許請求の範囲】
【請求項１】
通信端末と、
前記通信端末とネットワークを介して接続されたサーバと、を有し、
前記通信端末は、
動画コンテンツを再生する再生処理部と、
前記再生処理部が前記動画コンテンツを再生した区間である再生区間を記録する再生区間記憶部とを有し、
前記サーバは、
前記通信端末の再生区間記録部から受け取った各再生区間の再生頻度を集計する集計部と、
前記集計部が集計した集計結果を記録する集計結果記憶部とを有し、
前記通信端末の前記再生処理部は、前記動画コンテンツのうち、ユーザが指示した再生時間内で最も再生頻度が高い区間を選択し、再生する動画コンテンツの配信システム。
【請求項２】
前記サーバは、前記通信端末からユーザが指示した再生時間を受け取り、前記集計結果に基づき、前記動画コンテンツのうち前記再生時間内で最も再生頻度が高い再生区間を選択し、前記通信端末に送信する請求項１記載の動画コンテンツの配信システム。
【請求項３】
前記通信端末は、ユーザから再生時間を指定されると、前記サーバの集計結果及び動画コンテンツを受け取り、前記集計結果に基づき、前記動画コンテンツのうち前記再生時間内で最も再生頻度が区間を選択し、再生する請求項１記載の動画コンテンツの配信システム。
【請求項４】
前記サーバ又は前記通信端末は、前記集計結果から前記選択された区間の合計時間が、前記ユーザが指示した再生時間となるよう、同じ再生頻度の区間を抽出し、前記再生頻度の高さを調整することにより、前記選択された区間の長さを調整する請求項１又は２記載の動画コンテンツ配信システム。
【請求項５】
前記集計部は、前記再生区間の重要性に基づき、前記再生頻度に重みづけを行った集計結果を算出する請求項１乃至４いずれか１項記載の動画コンテンツ配信システム。
【請求項６】
前記再生区間記憶部は、前記再生区間が重要であることをユーザから入力された場合、当該再生区間を重要再生区間として記憶し、
前記集計部は、前記重要再生区間を、前記再生区間より再生回数が多いものとして集計し、
前記サーバ又は前記通信端末は、当該集計結果に基づき前記再生時間内で最も再生頻度が高い区間を選択する請求項５項記載の動画コンテンツ配信システム。
【請求項７】
通信端末と、当該通信端末とネットワークを介して接続されたサーバとを有する動画コンテンツの配信方法であって、
前記通信端末において動画コンテンツを再生し、
当該動画コンテンツのうち再生した区間である再生区間を記録し、
前記サーバにおいて前記通信端末が再生した前記各再生区間の再生頻度を集計し、
前記集計結果を記録し、
前記通信端末が、前記動画コンテンツを再生する際、ユーザが指示した再生時間内で最も再生頻度が高い区間を選択し、再生する動画コンテンツの配信方法。
【請求項８】
前記動画コンテンツの前記再生区間を選択する際、前記サーバは、前記通信端末からユーザが指示した再生時間を受け取り、前記集計結果に基づき、前記動画コンテンツのうち前記再生時間内で最も再生頻度が高い再生区間を選択し、前記通信端末に送信する請求項７記載の動画コンテンツの配信方法。
【請求項９】
前記動画コンテンツの前記再生区間を選択する際、前記通信端末は、ユーザから再生時間を指定されると、前記集計結果及び動画コンテンツを受け取り、前記集計結果に基づき、前記動画コンテンツのうち前記再生時間内で最も再生頻度が高い区間を選択し、再生する請求項７記載の動画コンテンツの配信方法。
【請求項１０】
前記動画コンテンツの前記再生区間を選択する際、前記集計結果から前記選択された区間の合計時間が、前記ユーザが指示した再生時間となるよう、同じ再生頻度の区間を抽出し、前記再生頻度の高さを調整することにより、前記選択された区間の長さを調整する請求項７又は８記載の動画コンテンツ配信方法。
【発明の詳細な説明】
【技術分野】
【０００１】
本発明は動画コンテンツ配信システム、動画コンテンツ配信方法、及び動画コンテンツ配信プログラムに関し、特にユーザが動画コンテンツ配信システム、動画コンテンツ配信方法、及び動画コンテンツ配信プログラムに関する。
【背景技術】
【０００２】
近年、テレビ放送の多チャンネル化、およびコンテンツ・プロバイダによるネットワーク動画配信など、ユーザが多くの動画を視聴する機会が増えている。それらの動画コンテンツは比較的長時間であることが多く、視聴に時間がかかる。そのような動画コンテンツにおいて重要な部分のみを抽出することができれば、ユーザがコンテンツ視聴にかかる時間を短縮できる。
【０００３】
このような、動画の要点となる再生区間を自動抽出するために、従来ディスクレコーダ等の録画機器にて実用化されている技術がいくつか存在する。
【０００４】
特許文献１には、映像や音声等でシーンを判別する記述が記載されている。特許文献１に記載の技術は、ユーザが指定した判別手段により、動画コンテンツのシーンを判別する。そして、ユーザが指定したシーンの変化点において、映像の停止及び再生を行う。この技術は、ユーザはシーンの変化するタイミングで動画の停止、及び再生ができる。
【０００５】
従来の技術は、映像や音声が大きく変化するシーン変化点を検出し、その変化量に応じてシーン変化点にレベルを付加するものであった。
【０００６】
この方式は、動画コンテンツから自動で再生区間を抽出できるという利点があり、例えばスポーツ観戦における拍手や歓声のように、映像や音声が大きく変化するものに対しては有効な方式である。
【０００７】
また、ユーザが再生した区間を集計し、当該集計結果をユーザに表示することにより、ユーザが動画コンテンツを視聴する際に、効率的に視聴することをできるようにする技術が特許文献２に記載されている。特許文献２に記載の技術は、端末によって再生された動画コンテンツの、再生開始位置と再生終了位置を記録することにより、再生区間を検出する。そして、当該再生区間を集計し、当該集計結果をユーザに対して表示する。
【先行技術文献】
【特許文献】
【０００８】
【特許文献１】特開２００８−２８９１９４号公報
【特許文献２】特開２００８−５３８２４号公報
【発明の概要】
【発明が解決しようとする課題】
【０００９】
しかしながら、特許文献１に記載の技術では、映像や音声の変化が比較的少ないコンテンツに対しては、精度のよい抽出が行えないという問題があった。
【００１０】
また、特許文献２に記載の技術は、再生された回数をユーザに表示するのみであり、動画コンテンツのどの部分を再生するかは、ユーザ自らが選択しなければならないという問題があった。
【課題を解決するための手段】
【００１１】
本発明にかかる動画コンテンツ配信システムは、通信端末と、通信端末とネットワークを介して接続されたサーバと、を有する。通信端末は、動画コンテンツを再生する再生処理部と、再生処理部が動画コンテンツを再生した区間である再生区間を記録する再生区間記憶部とを有する。サーバは、通信端末の再生区間記録部から受け取った各再生区間の再生頻度を集計する集計部と、集計部が集計した集計結果を記録する集計結果記憶部とを有する。通信端末の再生処理部は、動画コンテンツのうち、ユーザが指示した再生時間内で最も再生頻度が高い区間を選択し、再生する。
【００１２】
本発明においては、ユーザは指定した時間に応じて、動画コンテンツのうち再生頻度の高い区間を視聴することができる。
【発明の効果】
【００１３】
本発明によれば、ユーザが再生する区間を指定せずに、動画コンテンツの再生時間を短縮して視聴することができる動画コンテンツ配信システムを提供することができる。
【図面の簡単な説明】
【００１４】
【図１】実施の形態１にかかる動画コンテンツ配信システムの図である。
【図２】実施の形態１にかかる再生頻度と再生時間を示すグラフである。
【発明を実施するための形態】
【００１５】
実施の形態１
以下、図面を参照して本発明の実施の形態について説明する。説明の明確化のため、以下の記載及び図面は、適宜、省略及び簡略化がなされている。また、様々な処理を行う機能ブロックとして図面に記載される各要素は、ハードウェア的には、ＣＰＵ（Central Processing Unit）、メモリ、その他の回路で構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。また、以下の図面に示す各装置の構成は、例えば記憶装置に読み込まれたプログラムをコンピュータ（ＰＣ（personal computer）や携帯端末装置等）上で実行することにより実現される。
【００１６】
図１は、本実施の形態にかかる動画コンテンツ配信システム１を示す図である。本実施の形態にかかる動画コンテンツ配信システム１は、通信端末２１乃至２３と、通信端末２１乃至２３とネットワーク３０を介して接続されたサーバ１１と、を有する。
【００１７】
通信端末２１乃至２２は、それぞれ再生処理部２１１乃至２３１と、再生区間記憶部２１２乃至２３２とを有する。サーバ１１は、集計結果記憶部１２と、集計部１３とを有する。
【００１８】
本実施の形態にかかる動画コンテンツの配信方法は、通信端末２１乃至２３が再生した動画コンテンツの再生区間を記憶し、当該再生区間を集計し、ユーザが指定した再生時間内で最も再生頻度が高い区間を選択し、再生するものである。
【００１９】
再生処理部２１１乃至２３１は、動画コンテンツのうち、再生処理部２１１乃至２３１が再生した区間をそれぞれ記憶する。
【００２０】
集計部１３は、通信端末２１乃至２３の再生区間記録部２１２乃至２３２から受け取った各再生区間の再生頻度を、動画コンテンツ毎に集計する。
【００２１】
集計結果記憶部１２は、集計部１３が集計した、動画コンテンツ毎の各再生区間の集計結果を記録する。
【００２２】
再生処理部２１１乃至２３１は、動画コンテンツを再生する際、ユーザが指示した再生時間内で最も再生頻度が高い区間を選択し、再生する。
【００２３】
これにより、本実施の形態にかかる動画コンテンツ配信システム１は、ユーザの指定した時間に応じ、動画コンテンツのうちの再生頻度の高い区間を再生することができる。
【００２４】
動画コンテンツ配信システム１について、更に説明する。再生端末２１は、動画コンテンツを再生したとき、ユーザが再生した箇所をネットワーク３０経由で再生情報管理サーバ１１に逐次送信する。
【００２５】
サーバ１１は各ユーザが再生した箇所の集計処理を行い、その情報をコンテンツごとに保持する。動画コンテンツにおいて再生するユーザが多い部分や、ユーザが何度も再生する区間は、そのコンテンツにとって意味のある区間である場合が多く、その重要度を示す情報として扱うことができる。
【００２６】
本実施の形態によれば、各動画コンテンツに対し、どの再生位置でどれだけの頻度で再生されたか、を示す情報が再生情報管理サーバ１１に集計されることにより、他のユーザが同じコンテンツを再生する際、希望する視聴時間に合わせて抽出した区間のみを再生することができる。
【００２７】
本実施の形態について、さらに詳細に説明する。本実施の形態は、次のようにして実施することができる。通信端末２１は、例えば携帯電話、ディスクレコーダ装置、及びテレビ受像装置等である。通信端末２１乃至２３は、動画を再生する機能、再生した区間を記憶する機能、及びネットワーク３０経由でサーバ１１にその情報を送信することのできる機能を有する。
【００２８】
通信端末２１乃至２３は、サーバ１１とインターネット等のネットワーク３０を介して接続されている。ユーザが通信端末２１でコンテンツを視聴すると、通信端末２１は、サーバ１１に対してコンテンツを特定するＩＤ情報と、再生した区間の情報を送信する。
【００２９】
サーバ１１への情報送信について、更に詳細に説明する。動画コンテンツの再生時の、再生した区間の検出と、サーバ１１への送信は、次のように行う。
【００３０】
まず、ユーザによりコンテンツの再生が開始された場合、再生が開始されたタイミングを再生区間の開始位置として記録する。また、コンテンツ再生中にユーザが停止、早送り、巻き戻し、及び時間指定ジャンプ等の操作を行った場合、当該操作されたタイミングを区間の終了位置として記録し、再生を開始したタイミングと対応させてサーバ１１に送信する。
【００３１】
停止、早送り、巻き戻し及び時間指定ジャンプ等の操作がユーザにより解除され、再度再生が開始された場合には、当該再生が開始されたタイミングを再生区間の開始位置として記録する。
【００３２】
ユーザが動画コンテンツを短縮して再生する場合について説明する。通信端末２１でユーザが再生時間を短縮してコンテンツを再生する場合、まず再生端末２１はサーバ１１より、当該動画コンテンツがどの区間でどれだけ再生されたかを示す情報を取得する。そしてユーザが希望する視聴時間に合わせて再生区間を抽出し、その部分を再生する。ここで、本実施の形態では通信端末２１乃至２３が集計された再生区間の情報をサーバ１１から取得し、通信端末２１において再生区間を選択しているが、再生区間を選択する処理は、サーバ１１において行うようにしてもよい。
【００３３】
サーバ１１において再生区間の選択を行う場合、通信端末２１が、再生を希望する動画コンテンツと、再生希望時間とをサーバ１１に送信する。サーバ１１は、送信された希望時間に応じて再生区間を選択し、当該選択された区間に該当する当該動画コンテンツの情報のみを通信端末２１に送信する。これにより、送信するデータ量をより抑えることができる。
【００３４】
次に、再生端末２１での動画コンテンツ短縮再生について説明する。図２は、サーバ１１が動画コンテンツ毎に各ユーザから送信された再生箇所の累積処理の結果を示すグラフである。図２のグラフは、横軸がコンテンツの再生時間、縦軸がその時刻における再生頻度を表す。まず、図２における縦軸が示す再生頻度のピーク値の半分の値を、再生頻度の初期値ｔ１とし、ｔ１の値の４分の３の再生頻度をｔ３、４分の２の再生頻度をｔ３、４分の１の再生頻度をｔ４とする。ｒ１（ａ）及びｒ１（ｂ）はそれぞれ再生頻度ｔ１の再生区間を示す。同様にｒ２（ａ）乃至ｒ２（ｃ）は再生頻度ｔ２の再生区間を、ｒ３（ａ）及びｒ３（ｂ）は再生頻度ｔ３の再生区間を、ｒ４は再生頻度ｔ４の再生区間を示す。
【００３５】
図２に示すように、再生頻度が高いほど、再生区間の時間は短くなる。本実施の形態では、サーバ１１又は通信端末２１乃至２３は、集計結果から選択された区間の合計時間が、ユーザが指示した再生時間となるよう、同じ再生頻度の区間を抽出し、再生頻度の高さを調整することにより、選択された区間の長さを調整する。ここでは、通信端末２１乃至２３が区間を抽出する処理を行う場合について説明する。再生区間の選択、及び再生時間の調整は、以下のような二分探索方式を用いる。
【００３６】
次に、再生頻度の分布より、再生頻度ｔ１以上を持つ区間の再生時間を合計する。ユーザの所望する再生時間より、再生頻度の初期値Ｔ１以上の区間の再生時間の合計が短ければ、ｔ１を、ｔ１−（（ｔ２−ｔ１）／２とし、より再生区間が長くなるように再生頻度の閾値を下げる。
【００３７】
もしユーザの所望する再生時間より再生頻度の初期値Ｔ２以上の再生時間の合計が長ければ、ｔ１をｔ１＋（（ｔ２−ｔ１）／２）とし、より再生区間が短くなるように閾値を上げる。そして、ユーザが希望する再生時間に合致するまで、再生頻度の閾値の調整を繰り返す。
【００３８】
以上の動作により、本実施の形態における動画コンテンツ配信システムは、ユーザが動画コンテンツの短縮した再生区間を抽出することが可能である。それにより、ユーザが動画コンテンツの視聴時間を任意の時間に短縮することができる。
【００３９】
ユーザが実際に再生した区間の情報をサーバ１１に送信するだけでなく、ユーザが明示的に重要な再生区間をマーキングし、その情報をサーバ１１に送信するようにしてもよい。その情報は、より大きな重みをつけて再生区間の判断情報として集計するようにしてもよい。これにより、よりユーザの意見が反映された集計結果を得ることができ、ユーザが動画コンテンツを視聴する際により便利である。
【００４０】
なお、本発明は上記実施の形態に限られたものではなく、趣旨を逸脱しない範囲で適宜変更することが可能である。
【００４１】
ここでプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４２】
（付記１）
通信端末と、
前記通信端末とネットワークを介して接続されたサーバと、を有し、
前記通信端末は、
動画コンテンツを再生する再生処理部と、
前記再生処理部が前記動画コンテンツを再生した区間である再生区間を記録する再生区間記憶部とを有し、
前記サーバは、
前記通信端末の再生区間記録部から受け取った各再生区間の再生頻度を集計する集計部と、
前記集計部が集計した集計結果を記録する集計結果記憶部とを有し、
前記通信端末の前記再生処理部は、前記動画コンテンツのうち、ユーザが指示した再生時間内で最も再生頻度が高い区間を選択し、再生する動画コンテンツの配信システム。
（付記２）
前記サーバは、前記通信端末からユーザが指示した再生時間を受け取り、前記集計結果に基づき、前記動画コンテンツのうち前記再生時間内で最も再生頻度が高い再生区間を選択し、前記通信端末に送信する付記１記載の動画コンテンツの配信システム。
（付記３）
前記通信端末は、ユーザから再生時間を指定されると、前記サーバの集計結果及び動画コンテンツを受け取り、前記集計結果に基づき、前記動画コンテンツのうち前記再生時間内で最も再生頻度が区間を選択し、再生する付記１記載の動画コンテンツの配信システム。
（付記４）
前記サーバ又は前記通信端末は、前記集計結果から前記選択された区間の合計時間が、前記ユーザが指示した再生時間となるよう、同じ再生頻度の区間を抽出し、前記再生頻度の高さを調整することにより、前記選択された区間の長さを調整する付記１又は２記載の動画コンテンツ配信システム。
（付記５）
前記集計部は、前記再生区間の重要性に基づき、前記再生頻度に重みづけを行った集計結果を算出する付記１乃至４いずれか１項記載の動画コンテンツ配信システム。
（付記６）
前記再生区間記憶部は、前記再生区間が重要であることをユーザから入力された場合、当該再生区間を重要再生区間として記憶し、
前記集計部は、前記重要再生区間を、前記再生区間より再生回数が多いものとして集計し、
前記サーバ又は前記通信端末は、当該集計結果に基づき前記再生時間内で最も再生頻度が高い区間を選択する付記５項記載の動画コンテンツ配信システム。
（付記７）
通信端末と、当該通信端末とネットワークを介して接続されたサーバとを有する動画コンテンツの配信方法であって、
前記通信端末において動画コンテンツを再生し、
当該動画コンテンツのうち再生した区間である再生区間を記録し、
前記サーバにおいて前記通信端末が再生した前記各再生区間の再生頻度を集計し、
前記通信端末が、前記動画コンテンツを再生する際、ユーザが指示した再生時間内で最も再生頻度が高い区間を選択し、再生する動画コンテンツの配信方法。
（付記８）
前記動画コンテンツの前記再生区間を選択する際、前記サーバは、前記通信端末からユーザが指示した再生時間を受け取り、集計結果に基づき、前記動画コンテンツのうち前記再生時間内で最も再生頻度が高い再生区間を選択し、前記通信端末に送信する付記７記載の動画コンテンツの配信方法。
（付記９）
前記動画コンテンツの前記再生区間を選択する際、前記通信端末は、ユーザから再生時間を指定されると、前記集計結果及び動画コンテンツを受け取り、前記集計結果に基づき、前記動画コンテンツのうち前記再生時間内で最も再生頻度が高い区間を選択し、再生する付記７記載の動画コンテンツの配信方法。
（付記１０）
前記動画コンテンツの前記再生区間を選択する際、前記集計結果から前記選択された区間の合計時間が、前記ユーザが指示した再生時間となるよう、同じ再生頻度の区間を抽出し、前記再生頻度の高さを調整することにより、前記選択された区間の長さを調整する付記７又は８記載の動画コンテンツ配信方法。
（付記１１）
前記再生区間の集計をする際、前記再生区間の重要性に基づき、前記再生頻度に重みづけを行った集計結果を算出する付記７乃至１０いずれか１項記載の動画コンテンツ配信方法。
（付記１２）
前記再生区間を記憶する際、前記再生区間が重要であることをユーザから入力された場合、当該再生区間を重要再生区間として記憶し、
前記再生区間を集計する際、前記重要再生区間を、前記再生区間より再生回数が多いものとして集計し、
当該集計結果に基づき前記再生時間内で最も再生頻度が高い区間を選択する付記１１項記載の動画コンテンツ配信方法。
（付記１３）
通信端末と、当該通信端末とネットワークを介して接続されたサーバとを有する動画コンテンツの配信プログラムであって、
前記通信端末において動画コンテンツを再生させ、
当該動画コンテンツのうち再生した区間である再生区間を記録させ、
前記サーバにおいて前記通信端末が再生した前記各再生区間の再生頻度を集計させ、
前記集計結果を記録させ、
前記通信端末が、前記動画コンテンツを再生する際、ユーザが指示した再生時間内で最も再生頻度が高い区間を選択させ、再生させる処理をコンピュータに実行させる動画コンテンツの配信プログラム。
（付記１４）
前記動画コンテンツの前記再生区間を選択する際、前記サーバは、前記通信端末からユーザが指示した再生時間を受け取り、前記集計結果に基づき、前記動画コンテンツのうち前記再生時間内で最も再生頻度が高い再生区間を選択させ、前記通信端末に送信させる付記１３記載の動画コンテンツの配信プログラム。
（付記１５）
前記動画コンテンツの前記再生区間を選択する際、前記通信端末は、ユーザから再生時間を指定されると、前記集計結果及び動画コンテンツを受け取らせ、前記集計結果に基づき、前記動画コンテンツのうち前記再生時間内で最も再生頻度が高い区間を選択させ、再生させる１３記載の動画コンテンツの配信プログラム。
（付記１６）
前記動画コンテンツの前記再生区間を選択する際、前記集計結果から前記選択された区間の合計時間が、前記ユーザが指示した再生時間となるよう、同じ再生頻度の区間を抽出させ、前記再生頻度の高さを調整することにより、前記選択された区間の長さを調整させる付記１３又は１４記載の動画コンテンツ配信プログラム。
（付記１７）
前記再生区間の集計をする際、前記再生区間の重要性に基づき、前記再生頻度に重みづけを行った集計結果を算出させる付記１３乃至１６いずれか１項記載の動画コンテンツ配信プログラム。
（付記１８）
前記再生区間を記憶する際、前記再生区間が重要であることをユーザから入力された場合、当該再生区間を重要再生区間として記憶させ、
前記再生区間を集計する際、前記重要再生区間を、前記再生区間より再生回数が多いものとして集計させ、
当該集計結果に基づき前記再生時間内で最も再生頻度が高い区間を選択する付記１７項記載の動画コンテンツ配信プログラム。
【符号の説明】
【００４３】
１  動画コンテンツ配信システム
１１  サーバ
１２  集計結果記憶部
１３  集計部
２１  通信端末
２２  通信端末
２３  通信端末
３０  ネットワーク
２１１  再生処理部
２１２  再生区間記憶部
２２１  再生処理部
２２２  再生区間記憶部
２３１  再生処理部
２３２  再生区間記憶部
【図１】
2012054823.tif 000003
【図２】
2012054823.tif 000004